(57)【要約】【課題】非接触ＩＣカードを検出用アンテナに近づけて、その状態を保持し続けることは困難であった。【解決手段】紙幣識別部に非接触ＩＣカード２６のリードライト部が設けられた紙幣識別装置２１であって、リードライト部は、フロントパネル部２２内に設けられた検出用アンテナ３３と、この検出用アンテナ３３に接続されたリーダライタ回路３５とから成り、検出用アンテナ３３に対向し近接するように、非接触ＩＣカード２６が保持されるための保持手段２７が設けられたものである。  これにより、非接触ＩＣカード２６は、検出用アンテナ３３に対向し近接して配置させることができ、さらにその状態を容易に保持することができる。【選択図】図２
2005190333.tif 000002
【特許請求の範囲】
【請求項１】
紙幣識別部に非接触ＩＣカードのリードライト部が設けられた紙幣識別装置であって、前記紙幣識別部は、フロントパネル部に設けられた紙幣用挿入口と、この紙幣用挿入口に連結して設けられた通路と、この通路の壁面に設けられた紙幣識別センサと、この紙幣識別センサに接続された紙幣識別回路と、前記通路の終端に連結された紙幣収納部とを有し、前記リードライト部は、前記非接触ＩＣカードを対向し近接することによって送受信できるとともに、前記フロントパネル部に設けられた検出用アンテナと、この検出用アンテナに接続されたリーダライタ回路とから成り、前記検出用アンテナの近傍に前記非接触ＩＣカードを保持する保持手段が設けられた紙幣識別装置。
【請求項２】
保持手段は、フロントパネル部の下部に設けられるとともに、非接触ＩＣカードを挟持するように設けられた請求項１に記載の紙幣識別装置。
【請求項３】
フロントパネル部内に凹型のフェライト部を設け、この凹型のフェライト部の開口がフロントパネル部の前面側に近接するように設けられるとともに、前記開口内に検出用アンテナが装着された請求項２に記載の紙幣識別装置。
【請求項４】
保持手段は、フロントパネル部の側面に設けられた挿入穴で形成され、この挿入穴に挿入された前記非接触ＩＣカードと前記フロントパネル部前面の間に検出用アンテナが配置された請求項１に記載の紙幣識別装置。
【請求項５】
挿入された非接触ＩＣカードの背面に、凹型のフェライト部が設けられた請求項４に記載の紙幣識別装置。
【請求項６】
保持手段は、フロントパネル部に開閉自在に設けられるとともに、非接触ＩＣカードが上部から挿入される挿入穴が設けられ、この挿入穴に挿入された前記非接触ＩＣカードと前記フロントパネル部前面の間に検出用アンテナが配置された請求項１に記載の紙幣識別装置。
【請求項７】
挿入穴に挿入された非接触ＩＣカードの背面に、上方と前方が開口したフェライト部が設けられた請求項６に記載の紙幣識別装置。
【請求項８】
検出用アンテナの前面には、前記非接触ＩＣカードを手で持って近接可能とするとともに、前記検出用アンテナの背面には、前記非接触ＩＣカードの保持手段が設けられた請求項１に記載の紙幣識別装置。
【発明の詳細な説明】
【技術分野】
【０００１】
本発明は、紙幣識別装置に係り、さらに詳しくは、非接触ＩＣカードのリードライトも併せて行う紙幣識別装置に関するものである。
【背景技術】
【０００２】
従来の紙幣識別装置は、以下に示す構成をしていた。即ち、図７において、紙幣識別装置１は、フロントパネル部２と、このフロントパネル部２が装着される本体部３とで構成されていた。フロントパネル部２には、紙幣４が挿入される挿入口５と、非接触ＩＣカード６を近づけて読み取るための近づけ部１３が設けられていた。
【０００３】
この紙幣識別装置１内には、図８に示すように紙幣識別部と非接触ＩＣカード６のリードライト部が収納されていた。紙幣識別部は、紙幣４が挿入される挿入口５と、この挿入口５に連結して設けられた通路１４と、この通路１４の壁面に設けられた紙幣識別センサ７と、この紙幣識別センサ７に接続された紙幣識別回路８と、通路１４の終端に設けられた紙幣収納部９とで構成されていた。
【０００４】
また、非接触ＩＣカード６のリードライト部は、フロントパネル部２の前面の近づけ部１３に近づけた非接触ＩＣカード６を検出するための検出用アンテナ１０と、この検出用アンテナ１０が接続されたリーダライタ回路１１とで構成されていた。ここで、紙幣識別回路８とリーダライタ回路１１とは、制御部１２で共通して制御されていた。
【０００５】
このような紙幣識別装置を自動販売機に搭載した使用形態において、利用者は、手に持ったままで非接触ＩＣカード６を検出用アンテナ１０の前面に設けられた近づけ部１３に近づけていた。これにより、非接触ＩＣカード６と検出用アンテナ１０の間では、電磁誘導結合によりデータ送受信が行われることにより決済処理が行われていた。
【０００６】
なお、この出願の発明に関連する先行技術文献情報としては、例えば、特許文献１が知られている。
【特許文献１】特開２０００−３０１１６号公報
【発明の開示】
【発明が解決しようとする課題】
【０００７】
しかしながら、このような従来の紙幣識別装置では、例えば、長い調理時間を要する商品を購入する場合等には、手に持った非接触ＩＣカード６を検出用アンテナ１０の前面に設けられた近づけ部１３に近づけて、その状態を保持し続けなければならない、という煩わしさがあった。
【０００８】
本発明は、このような問題を解決したもので、紙幣識別装置の利便性を高めることを目的とするものである。
【課題を解決するための手段】
【０００９】
この目的を達成するために、本発明の紙幣識別装置は、非接触ＩＣカードを保持するための保持手段が設けられたものである。これにより、紙幣識別装置の利便性を高めることができる。
【００１０】
本発明の請求項１に記載の発明は、紙幣識別部に非接触ＩＣカードのリードライト部が設けられた紙幣識別装置であって、前記紙幣識別部は、フロントパネル部に設けられた紙幣用挿入口と、この紙幣用挿入口に連結して設けられた通路と、この通路の壁面に設けられた紙幣識別センサと、この紙幣識別センサに接続された紙幣識別回路と、前記通路の終端に連結された紙幣収納部とを有し、前記リードライト部は、前記非接触ＩＣカードを対向し近接することによって送受信できるとともに、前記フロントパネル部に設けられた検出用アンテナと、この検出用アンテナに接続されたリーダライタ回路とから成り、前記検出用アンテナの近傍に前記非接触ＩＣカードを保持する保持手段が設けられた紙幣識別装置である。
【００１１】
このように、非接触ＩＣカードを保持するための保持手段が設けられているので、手で持ち続けることなく非接触ＩＣカードを、検出用アンテナに対向し近接させた状態とし、保持することが簡単にできる。
【００１２】
従って、長い調理時間を要する商品等を購入する場合には、手に持った非接触ＩＣカードを検出用アンテナに対向し近接させた状態とし、保持し続けなければならない、という煩わしさがなくなる。これにより、紙幣識別装置の利便性が良くなる。
【００１３】
本発明の請求項２に記載の発明の保持手段は、フロントパネル部の下部に設けられるとともに、非接触ＩＣカードを挟持するように設けられた請求項１に記載の紙幣識別装置である。
【００１４】
このように、非接触ＩＣカードが、保持手段に挟持された状態においては、紙幣用挿入穴は非接触ＩＣカードにより覆われている。このため、非接触ＩＣカードを使用中においては、誤って紙幣が紙幣挿入口に挿入されることを防止できる。
【００１５】
また、非接触ＩＣカードが挟持される簡便で低価格の保持手段を設けることにより、非接触ＩＣカードは、検出用アンテナの設けられたフロントパネル部に対向し近接させて挟持されるので、その状態を容易に保持することができる。
【００１６】
本発明の請求項３に記載の発明は、フロントパネル部内に凹型のフェライト部を設け、この凹型のフェライト部の開口がフロントパネル部の前面側に近接するように設けられるとともに、前記開口内に検出用アンテナが装着された請求項２に記載の紙幣識別装置である。
【００１７】
これにより、検出用アンテナの背面に凹型のフェライト部が設けられることになる。すなわち、非接触ＩＣカードと検出用アンテナの間では、フェライト部により電磁誘導結合が強くなるので、安定したデータ送受信が可能となる。
【００１８】
本発明の請求項４に記載の発明の保持手段は、フロントパネル部の側面に設けられた挿入穴で形成され、この挿入穴に挿入された前記非接触ＩＣカードと前記フロントパネル部前面の間に検出用アンテナが配置された請求項１に記載の紙幣識別装置である。
【００１９】
この保持手段により、挿入穴に挿入された非接触ＩＣカードは、検出用アンテナに対向し近接されることになる。また、その状態を保持することができる。
【００２０】
ここで、挿入穴の奥行きを、非接触ＩＣカードの挿入方向の長さより長くすれば、非接触ＩＣカード全体を挿入口から突出しないように完全に挿入することができる。これにより、非接触ＩＣカードに対してたとえ不注意による挿入口側からの衝撃が加わったとしても、非接触ＩＣカードを保護することができる。
【００２１】
本発明の請求項５に記載の発明は、挿入された非接触ＩＣカードの背面に、凹型のフェライト部が設けられた請求項４に記載の紙幣識別装置である。
【００２２】
これにより、非接触ＩＣカードが、検出用アンテナと凹型のフェライト部の間に挿入されることになり、非接触ＩＣカードと検出用アンテナの間では、フェライト部の効果により電磁誘導結合が強くなるので、安定したデータ送受信が可能となる。
【００２３】
本発明の請求項６に記載の発明の保持手段は、フロントパネル部に開閉自在に設けられるとともに、非接触ＩＣカードが上部から挿入される挿入穴が設けられ、この挿入穴に挿入された前記非接触ＩＣカードと前記フロントパネル部前面の間に検出用アンテナが配置された請求項１に記載の紙幣識別装置である。
【００２４】
これにより、非接触ＩＣカードは、上方からの挿入となるので、挿入が容易となる。また。非接触ＩＣカードは、挿入された状態のままで、保持手段が閉じられてフロントパネル部内に完全に収納されることになるので、非接触ＩＣカードには外部からの衝撃が加わらず、また盗難に遭うことがない。
【００２５】
さらに、非接触ＩＣカードを、検出用アンテナに対向し近接させた状態とし、保持することができるので、安定したデータ通信ができる。
【００２６】
本発明の請求項７に記載の発明は、挿入穴に挿入された非接触ＩＣカードの背面に、上方と前方が開口したフェライト部が設けられた請求項６に記載の紙幣識別装置である。
【００２７】
これにより、非接触ＩＣカードは、検出用アンテナと上方と前方が開口したフェライト部の間に挿入されることになり、非接触ＩＣカードと検出用アンテナの間では、電磁誘導結合が強くできることになり、安定したデータ送受信が可能となる。
【００２８】
また、非接触ＩＣカード、検出用アンテナあるいはリードライト部が上方と前方が開口したフェライト部で覆われているので、例えば紙幣識別装置内の制御部や自動販売機内に設けられた高周波用受信機器に対して電波妨害を与えたり受けたりすることがない。
【００２９】
本発明の請求項８に記載の発明は、検出用アンテナの前面には、前記非接触ＩＣカードを手で持って近接可能とするとともに、前記検出用アンテナの背面には、前記非接触ＩＣカードの保持手段が設けられた請求項１に記載の紙幣識別装置である。
【００３０】
これにより、例えば一本のみの商品購入時等には、手に持った非接触ＩＣカードを検出用アンテナに対向し近接するのみで良いので、利用が容易である。一方、長い調理時間等を要する商品を購入する場合には、保持手段を使用することにより非接触ＩＣカードを検出用アンテナ１０に対向し近接した状態に保持できるので、非接触ＩＣカードを手に持ち続ける煩わしさがない。従って、紙幣識別装置の利便性を高めることができる。
【発明の効果】
【００３１】
以上のように本発明によれば、非接触ＩＣカードを保持するための保持手段を設けることにより、非接触ＩＣカードは、検出用アンテナに対向し近接して配置させることができ、さらにその状態を安定して保持することが容易にできる。
【００３２】
従って、長い調理時間等を要する商品を購入する場合には、手に持った非接触ＩＣカードを検出用アンテナに対向し近接させた状態とし、保持し続けなければならない、という煩わしさがなくなる。これにより、紙幣識別装置の利便性が良くなる。
【発明を実施するための最良の形態】
【００３３】
（実施の形態１）
図１は、本発明の実施の形態１における紙幣識別装置の斜視図である。また図２は、本発明の実施の形態１における紙幣識別装置の断面図である。
【００３４】
図１において、２１は紙幣識別装置であり、この紙幣識別装置２１は、フロントパネル部２２と、このフロントパネル部２２が装着された本体部２３で構成されている。さらに、この紙幣識別装置２１は、紙幣識別部、リードライト部が収納されている。また、フロントパネル部２２には、紙幣２４が挿入される紙幣用挿入口２５、非接触ＩＣカード２６が挟持される保持手段２７が設けられている。
【００３５】
先ず、紙幣識別部の構成について図２を用いて説明する。紙幣識別部は、紙幣用挿入口２５と、この紙幣用挿入口２５に連結されるとともに、この紙幣用挿入口２５に連結して逆Ｕ字部を有する紙幣２４の通路２９が設けられている。この通路２９の壁面には、紙幣識別センサ３０が設けられている。そして、この紙幣識別センサ３０は、紙幣識別回路３１に接続されている。また、通路２９の終端には、紙幣２４を収納する紙幣収納部３２が設けられている。
【００３６】
次に、非接触ＩＣカード２６のリードライト部の構成について図２を用いて説明する。この図２では、非接触ＩＣカード２６が、フロントパネル部２２に装着されている状態を示している。
【００３７】
非接触ＩＣカード２６が、フロントパネル部２２の下部に設けられた保持手段２７により保持されることにより、フロントパネル部２２の前面部に対向するとともに近接して装着される。この保持手段２７は、フロントパネル部２２の下部に、非接触ＩＣカード２６を挟持するために複数個の支持部で構成されている。この支持部は、非接触ＩＣカード２６をフロントパネル部２２の前面部に弾性で押圧するものである。
【００３８】
これにより、非接触ＩＣカード２６を安定して支持することができる。また、この支持部に用いる材料は、非接触ＩＣカード２６内の内蔵アンテナの送受信に影響を与えないようにするために、金属以外の材料である例えば樹脂やゴム等を用いることが好ましい。
【００３９】
さらに、フロントパネル部２２の内部には、非接触ＩＣカード２６を検出する検出用アンテナ３３が、フロントパネル部２２に対向し近接して、ループ状あるいは巻線状で形成されている。ここで、支持部の位置については、フロントパネル部２２の最下部に取り付けることにより、非接触ＩＣカード２６の端面をフロントパネル部２２の最下部まで覆うことができる。従って、紙幣用挿入口２５を覆うことができ、非接触ＩＣカード２６を使用時に紙幣２４の挿入を禁止することができる。
【００４０】
また、例えば、フロントパネル部２２全体に検出用アンテナ３３が設けられた場合には、非接触ＩＣカード２６と検出用アンテナ３３との電磁誘導結合を強くできるので、受信感度が良くなる。
【００４１】
また、フロントパネル部２２内には、磁性体等からなる凹型のフェライト部３４が設けられており、このフェライト部３４の凹型の開口は、フロントパネル部２２の前面に向って装着されている。さらに、このフェライト部３４の凹型の開口内には、検出用アンテナ３３が装着されている。この凹型のフェライト部３４により、検出用アンテナ３３は、フロントパネル部２２の前面を除いて覆われることになる。
【００４２】
また、検出用アンテナ３３には、リーダライタ回路３５が接続されている。このリーダライタ回路３５には、主に送信信号を送信するための変調器および発振器と、受信信号を受信するための混合器と発振器と、受信信号を復調するための復調器とを内蔵している。また、紙幣識別回路３１とリーダライタ回路３５は、同一の制御部３６により双方が制御されている。そして、この紙幣識別部と非接触ＩＣカード２６のリードライト部を有する紙幣識別装置２１が、自動販売機に搭載されるのである。
【００４３】
この紙幣識別装置２１について、以下にその動作を説明する。まず、紙幣識別部の動作について説明する。紙幣２４が紙幣用挿入口２５から挿入される。紙幣２４の通路である通路２９の両端には、紙幣２４を搬送する紙幣搬送用ローラが設けられている。これにより、紙幣２４は、通路２９を搬送される。そして、この紙幣２４は、通路２９の壁面に設けられた紙幣識別センサ３０により特徴が抽出され、次にこの特徴に基づいて、紙幣識別回路３１により、真偽が判定される。
【００４４】
ここで、紙幣識別センサ３０は、磁気センサやフォトセンサ等の検出用手段が用いられている。この磁気センサでは、磁気ヘッドを用いて、紙幣２４の磁気量の変化を検出する。
【００４５】
また、フォトセンサでは、発光部と受光部を用いて、紙幣２４の印字部を検出する。この紙幣２４が真紙幣の場合には、制御部３６から正貨信号が出力されるとともに、紙幣２４は、紙幣収納部３２に収納されることになる。
【００４６】
次に、非接触ＩＣカード２６のリードライト部の動作について説明する。非接触ＩＣカード２６の端部が、保持手段２７に差し込まれる。これにより、非接触ＩＣカード２６は、フロントパネル部２２の前面部に対向するとともに近接して装着されることになる。
【００４７】
すなわち、非接触ＩＣカード２６内の内蔵アンテナが、フロントパネル部２２に設けられた検出用アンテナ３３に対向し近接することになる。この非接触ＩＣカード２６内の内蔵アンテナとフロントパネル部２２の検出用アンテナ３３の間では、例えばデジタル変調された送信周波数１３．５６ＭＨｚの信号が互いに電磁誘導結合の状態となってデータの送受信が行われる。
【００４８】
ここで、検出用アンテナ３３とリーダライタ回路３５とは、互いにできるだけ近接して配置することにより、送受信に用いられる高周波信号の伝送損失を小さくできるとともに、検出用アンテナ３３とリーダライタ回路３５以外からの妨害信号による影響を受けることを少なくすることができる。
【００４９】
このとき、検出用アンテナ３３は、凹型のフェライト部３４によりフロントパネル部２２側を除いて覆われている。このため、検出用アンテナ３３あるいは非接触ＩＣカード２６から放射された送信信号は、フェライト部３４によりフェライト部３４の面に沿って偏向されるので、磁束が収束されることになる。
【００５０】
従って、検出用アンテナ３３と非接触ＩＣカード２６の間では、凹型のフェライト部３４がないときに比べて、電磁誘導結合が強くなる。つまり、検出用アンテナ３３あるいは非接触ＩＣカード２６では、受信感度が安定となる。
【００５１】
さらに、非接触ＩＣカード２６および検出用アンテナ３３は、凹型のフェライト部３４により覆われているので、制御部３６の制御信号からの高調波信号あるいは自動販売機内に設けられた高周波受信機器等からの高周波信号が例えあったとしても、妨害を受けることがなく、受信感度が安定となる。
【００５２】
また、非接触ＩＣカード２６、検出用アンテナ３３からの送信信号あるいはリーダライタ回路３５に内蔵されている発振器の高調波信号が輻射されたとしても、凹型のフェライト部３４により覆われているので、紙幣識別装置２１内の回路あるいは自動販売機内の高周波受信機器等に妨害を与えることがない。
【００５３】
なお、凹型のフェライト部３４に用いる磁性体は、Ｆｅ系磁性剤を混ぜることにより高い周波数の信号成分を低減することができるので、高い周波数成分である高調波信号を低減する場合に有効である。
【００５４】
次に、非接触ＩＣカード２６とリードライト部の間におけるデータの送受信について説明する。フロントパネル部２２の検出用アンテナ３３から非接触ＩＣカード２６に送信信号が送信される。そうすると、非接触ＩＣカード２６内において、この送信信号を検波して電圧に変換され蓄積される。この電圧を用いて、非接触ＩＣカード２６から検出用アンテナ３３に向かってデータが送信される。
【００５５】
この検出用アンテナ３３で受信した信号は、検出用アンテナ３３に接続されたリーダライタ回路３５で復調される。さらに、制御部３６では、この復調されたデータと商品の購入金額に基づいて、非接触ＩＣカード２６への書き込みデータを決定する。
【００５６】
この書き込みデータは、制御部３６およびリーダライタ回路３５を介して検出用アンテナ３３から非接触ＩＣカード２６にデータ送信される。この送信されたデータが、非接触ＩＣカード２６内の内蔵アンテナで受信され、さらに非接触ＩＣカード２６では、この送信データに基づいて決済されることになる。
【００５７】
以上のように、紙幣識別装置は、フロントパネル部２６の下部に設けられた保持手段２７を有しているので、利用者は、非接触ＩＣカード２６を検出用アンテナ３３に対向し近接させた状態で容易に保持させることができる。
【００５８】
例えば、長い調理時間を要する商品を購入する場合には、非接触ＩＣカード２６を手に持って検出用アンテナ３３に近づけて、その状態を保持し続けなければならない、という煩わしさがなくなる。これにより、紙幣識別装置の利便性が高くなる。
【００５９】
なお、フロントパネル部２２内に設けられた検出用アンテナ３３は、フロントパネル部２２全体に配置することにより、非接触ＩＣカード２６内の内蔵アンテナとの電磁結合が強くできる。従って、受信感度を向上できる。
【００６０】
（実施の形態２）
図３は、本発明の実施の形態２における紙幣識別装置の斜視図である。なお図３で使用した部品について、図１と同じものについては同一の番号を付してその説明を簡略化している。また、実施の形態２では、非接触ＩＣカード２６の挿入穴４４がフロントパネル部４２の側面に設けてある点が、実施の形態１とは異なっている。
【００６１】
図３において、紙幣識別装置４１は、フロントパネル部４２と、このフロントパネル部４２が装着された本体部４３とで構成されている。さらに、この紙幣識別装置４１には、紙幣識別部、リードライト部が収納されている。
【００６２】
先ず、紙幣識別部の構成について図４を用いて説明する。紙幣識別部は、紙幣２４が挿入される紙幣用挿入口２５と、この紙幣用挿入口２５に連結された逆Ｕ字部を有する通路２９が設けられている。この通路２９の壁面には、紙幣識別センサ３０が設けられている。さらに、この紙幣識別センサ３０は、紙幣識別回路３１に接続されている。また、通路２９の終端には、紙幣２４を収納する紙幣収納部３２が設けられている。
【００６３】
次に、非接触ＩＣカード２６のリードライト部の構成について図４を用いて説明する。この図４では、非接触ＩＣカード２６が、挿入穴４４に挿入された状態を示している。
【００６４】
フロントパネル部４２内の前面には、非接触ＩＣカード２６を保持するための保持手段４５が設けられている。この保持手段４５には、非接触ＩＣカード２６を検出する検出用アンテナ４６が、フロントパネル部４２の前面に対向し近接して、ループ状あるいは巻線状で形成されている。この検出用アンテナ４６の背面には、挿入穴４４に挿入された非接触ＩＣカード２６が、対向し近接するように設けられている。そして、検出用アンテナ４６には、リーダライタ回路４７が近接して配置されて接続されている。
【００６５】
このリーダライタ回路４７は、紙幣識別回路３１と共通の制御部４９により制御されている。そして、紙幣識別部と非接触ＩＣカード２６のリードライト部を有する紙幣識別装置４１が、自動販売機に搭載される。
【００６６】
また、保持手段４５内の背面部には、磁性体等からなる凹型のフェライト部４８が設けられており、このフェライト部４８の凹型の開口は、保持手段４５の前面側に位置させている。さらに、このフェライト部４８の凹型の開口内には、非接触ＩＣカード２６、検出用アンテナ４６およびリーダライタ回路４７が挿入されるようにしている。これにより、非接触ＩＣカード２６、検出用アンテナ４６およびリーダライタ回路４７は、フェライト部４８により前面および挿入穴４４である側面を除いて覆われることになる。
【００６７】
この紙幣識別装置４１について、以下にその動作を説明する。紙幣識別部の動作については実施の形態１と同様であり簡略化する。
【００６８】
紙幣２４は、紙幣用挿入口２５から挿入されたのち、通路２９を通り、紙幣識別センサ３０、紙幣識別回路３１により真偽が判定される。真紙幣の場合には、制御部４９から正貨信号が出力され、紙幣２４は、紙幣収納部３２に収納されることになる。
【００６９】
次に、非接触ＩＣカード２６のリードライト部の動作について説明する。非接触ＩＣカード２６が、保持手段４５の横側面に設けられた挿入穴４４に挿入される。これにより、非接触ＩＣカード２６内の内蔵アンテナは、保持手段４５に設けられた検出用アンテナ４６に対向し近接されることになる。
【００７０】
これにより、非接触ＩＣカード２６内の内蔵アンテナと検出用アンテナ４６の間では、例えばデジタル変調された送信周波数１３．５６ＭＨｚの信号が互いに電磁誘導結合の状態となってデータの送受信が行われる。
【００７１】
ここで、検出用アンテナ４６とリーダライタ回路４７とは、互いにできるだけ近接して配置することにより、送受信に用いられる高周波信号の伝送損失が小さくできるとともに、検出用アンテナ４６とリーダライタ回路４７以外からの妨害信号による影響を受けることが少ない。
【００７２】
このとき、挿入された非接触ＩＣカード２６、検出用アンテナ４６およびリーダライタ回路４７は、フェライト部４８により保持手段４５の前面および挿入穴４４の設けられた横側面を除いて覆われている。このため、検出用アンテナ４６あるいは非接触ＩＣカード２６から放射された送信信号は、フェライト部４８によりフェライト部４８に沿って偏向されて磁束が収束される。
【００７３】
すなわち、検出用アンテナ４６と非接触ＩＣカード２６の間では、フェライト部４８がないときに比べて、電磁誘導結合が強くなるので、検出用アンテナ４６あるいは非接触ＩＣカード２６では、受信感度が安定となる。
【００７４】
また、制御部４９等からの制御信号等の不要な高調波信号は、フェライト部４８により偏向される。従って、挿入された非接触ＩＣカード２６および検出用アンテナ４６は、この不要な高調波信号の影響を受けることがなく、受信感度が安定となる。なお、利用者が、非接触ＩＣカード２６をフロントパネル部４２に手で持って対向し近接させる場合においても、この効果は同じである。
【００７５】
同様に、検出用アンテナ４６からの送信信号あるいはリーダライタ回路４７の発振器の信号あるいは制御信号の高調波信号が輻射されたとしても、フェライト部４８により偏向されるので、紙幣識別装置４１内の機器等あるいは自動販売機内の高周波受信機器等に妨害を与えることがない。
【００７６】
さらに、挿入穴４４に挿入された非接触ＩＣカード２６は、制御部４９からの制御データに基づいて決済された後、挿入穴４４から排出されることになる。
【００７７】
以上のように、非接触ＩＣカード２６は、フロントパネル部４２に保持手段４５を設けることにより、非接触ＩＣカード２６を検出用アンテナ４６に対向し近接させた状態を容易に保持することができる。
【００７８】
従って、長い調理時間を要する商品を購入する場合には、非接触ＩＣカード２６を手で持って検出用アンテナ４６に近づけて、その状態を保持し続けなければならない、という煩わしさがなくなる。これにより、紙幣識別装置４１の利便性が高くなる。
【００７９】
ここで、挿入穴４４の奥行きを、非接触ＩＣカード２６の挿入方向の長さより大きくすれば、非接触ＩＣカード２６全体が、挿入穴４４から突出しないように完全に挿入できる。従って、商品購入時において非接触ＩＣカード２６の盗難が防止できる。同時に、商品の払い出しが完了する前に、非接触ＩＣカード２６が通信可能エリア外に出ることを防止できるので、決済処理ができなくなる不具合を防止することができる。
【００８０】
なお、フロントパネル部４２内に設けられた検出用アンテナ４６は、フロントパネル部４２全体に配置することにより、非接触ＩＣカード２６内の内蔵アンテナとの電磁結合が強くできる。従って、受信感度を向上させることができる。
【００８１】
（実施の形態３）
図５は、本発明の実施の形態３における紙幣識別装置の斜視図である。なお図５で使用した符号について、図３と同じものについては同一の番号を付してその説明を簡略化している。実施の形態３における保持手段５５は、開閉自在としており、実施の形態２の保持手段４５とは形状、構造が異なる。
【００８２】
図５において、紙幣識別装置５１は、フロントパネル部５２と、このフロントパネル部５２が装着された本体部５３とで構成されている。さらに、この紙幣識別装置５１には、紙幣識別部、リードライト部が収納されている。
【００８３】
先ず、紙幣識別部の構成について図６を用いて説明する。紙幣識別部は、紙幣２４が挿入される挿入口５４と、この挿入口５４に連結するとともに、逆Ｕ字部を有する紙幣２４の通路２９が設けられている。この通路２９の壁面には、紙幣識別センサ３０が設けられている。さらに、この紙幣識別センサ３０は、紙幣識別回路３１に接続されている。また、通路２９の終端には、紙幣２４を収納するための紙幣収納部３２が設けられている。
【００８４】
次に、非接触ＩＣカード２６のリードライト部の構成について図６を用いて説明する。この図６では、非接触ＩＣカード２６が、保持手段５５の上側面に設けられた挿入穴５６に挿入された状態を示している。
【００８５】
保持手段５５は、フロントパネル部５２内の前面部に設けられた収納部５２ａに収納可能なように設けられ、収納部５２ａの下部を支軸として前面側に開閉自在に回動する。また、この保持手段５５の内部には、非接触ＩＣカード２６を検出する検出用アンテナ５７が、フロントパネル部５２の前面に対向し近接して、ループ状あるいは巻線状で形成されている。この検出用アンテナ５７の背面に対して、非接触ＩＣカード２６が挿入される挿入穴５６が設けられている。
【００８６】
さらに、保持手段５５内の背面部には、磁性体等からなる凹型のフェライト部５６ａが設けられており、このフェライト部５６ａの凹型の開口は、フロントパネル部５２の前面側に位置させている。そして、このフェライト部５６ａの凹型の開口内には、検出用アンテナ５７およびリーダライタ回路５８が前面側に設けられている。このとき、挿入穴５６に挿入された非接触ＩＣカード２６は、フェライト部５６ａと検出用アンテナ５７の間に近接して挿入されることになる。
【００８７】
これにより、非接触ＩＣカード２６および検出用アンテナ５７は、フェライト部５６ａにより前面および挿入穴５６である上面を除いて覆われることになる。
【００８８】
そして、保持手段５５には、上側面の一部に突出部６０が設けられている。この突出部６０に対応して、収納部５２ａの上部には、制御部６１とこの制御部６１により制御されるストッパ部６２が設けられている。このストッパ部６２により、保持手段５５の開閉が制御されることになる。
【００８９】
さらに、検出用アンテナ５７には、リーダライタ回路５８が接続されている。また、紙幣識別回路３１とリーダライタ回路５８は、制御部５９により制御されている。
【００９０】
以上の紙幣識別部と非接触ＩＣカード２６のリードライト部を有する紙幣識別装置５１が、自動販売機等に搭載される。
【００９１】
この紙幣識別装置５１について、以下にその動作を説明する。紙幣識別部の動作については実施の形態１と同様であり簡略化する。
【００９２】
紙幣２４は、挿入口５４から挿入されたのち、通路２９を通り、紙幣識別センサ３０、紙幣識別回路３１により真偽が判定される。真紙幣の場合には、制御部５９から正貨信号が出力され、紙幣２４は、紙幣収納部３２に収納されることになる。
【００９３】
次に、非接触ＩＣカード２６のリードライト部の動作について説明する。利用者が、長い調理時間を要する商品を購入するために、自動販売機等のボタンを選択して押す。この選択されたボタンを押すことにより、制御部６１によりストッパ部６２が制御されて、保持手段５５の上側面が利用者側に開く。
【００９４】
非接触ＩＣカード２６が、この挿入穴５６に挿入されると、自動的に保持手段５５は閉じられて、収納部５２ａに収納される。これにより、非接触ＩＣカード２６に内蔵されたアンテナは、保持手段５５内の検出用アンテナ５７に対向し近接した状態となる。
【００９５】
従って、非接触ＩＣカード２６内の内蔵アンテナとフロントパネル部５２の検出用アンテナ５７の間では、例えばデジタル変調された送信周波数１３．５６ＭＨｚの信号が互いに電磁誘導結合の状態とできるので、データが送受信されることになる。
【００９６】
このとき、検出用アンテナ５７および挿入された非接触ＩＣカード２６は、凹型のフェライト部５６ａにより、前面および挿入穴５６側の上面を除いて覆われる。このため、検出用アンテナ５７あるいは非接触ＩＣカード２６から放射された送信信号は、フェライト部５６ａによりフェライト部５６ａの面に沿って偏向されるので、磁束が収束されることになる。
【００９７】
従って、検出用アンテナ５７と非接触ＩＣカード２６の間では、フェライト部５６ａがないときに比べて、電磁誘導結合が強くなる。つまり、検出用アンテナ５７あるいは非接触ＩＣカード２６の受信感度が安定となる。
【００９８】
同様に、制御部５９の制御信号からの高調波信号あるいは自動販売機内に設けられた高周波受信機器等の不要な妨害があったとしても、非接触ＩＣカード２６および検出用アンテナ５７は、フェライト部５６ａにより覆われているので、妨害を受けることがなく、受信感度が安定となる。
【００９９】
また、非接触ＩＣカード２６、検出用アンテナ５７からの送信信号あるいはリーダライタ回路５８に内蔵されている発振器の高調波信号が輻射されたとしても、フェライト部５６ａで覆われているので、紙幣識別装置５１内の他の機器あるいは自動販売機内の高周波受信機器等に妨害を与えることがない。
【０１００】
なお、利用者が、非接触ＩＣカード２６を手に持って保持手段５５の前面に対向し近接させる場合においても、これらの妨害を受けたり与えたりすることに対する改善効果は同じである。
【０１０１】
さらに、保持手段５５に収納された非接触ＩＣカード２６は、制御部５９からの制御データに基づいて決済される。この決済の後、保持手段５５の上側面が利用者側に開く。利用者は、この保持手段５５に設けられている図５に示す凹部５６ｂから突出している非接触ＩＣカード２６を手で摘んで取り出すことができる。この非接触ＩＣカード２６が取り出されると、自動的に保持手段５５が収納部５２ａに収納される。
【０１０２】
以上のように、非接触ＩＣカード２６用の挿入穴５６を有する保持手段５５が、フロントパネル部５２に設けられることにより、非接触ＩＣカード２６は、検出用アンテ５７に対向し近接した状態を保持することになる。
【０１０３】
例えば、長い調理時間を要する商品を購入する場合には、手に持った非接触ＩＣカード２６を手で持って検出用アンテナ５７に近づけて、その状態を保持し続けなければならない、という煩わしさがなくなる。これにより、紙幣識別装置の利便性を高くできる。
【０１０４】
また、非接触ＩＣカード２６は、保持手段５５により完全に収納される。従って、商品購入時における非接触ＩＣカード２６の盗難が防止できる。同時に、商品の払い出しが完了する前に、非接触ＩＣカード２６が通信可能エリア外に出ることを防止できるので、決済処理ができなくなる不具合を防止できる。
【産業上の利用可能性】
【０１０５】
本発明にかかる、紙幣識別装置は、非接触ＩＣカードの保持手段を設けることにより、非接触ＩＣカードが設けられた紙幣識別装置の利便性を高めることができるので、自動販売機等に有用である。
【図面の簡単な説明】
【０１０６】
【図１】本発明の実施の形態１における紙幣識別装置の斜視図
【図２】同、紙幣識別装置の断面図
【図３】本発明の実施の形態２における紙幣識別装置の斜視図
【図４】同、紙幣識別装置の断面図
【図５】本発明の実施の形態３における紙幣識別装置の斜視図
【図６】同、紙幣識別装置の断面図
【図７】従来の紙幣識別装置の斜視図
【図８】同、紙幣識別装置の断面図
【符号の説明】
【０１０７】
２１  紙幣識別装置
２２  フロントパネル部
２４  紙幣
２５  紙幣用挿入口
２６  非接触ＩＣカード
２７  保持手段
２９  通路
３０  紙幣識別センサ
３１  紙幣識別回路
３２  紙幣収納部
３３  検出用アンテナ
３５  リーダライタ回路
【図１】
2005190333.tif 000003
【図２】
2005190333.tif 000004
【図３】
2005190333.tif 000005
【図４】
2005190333.tif 000006
【図５】
2005190333.tif 000007
【図６】
2005190333.tif 000008
【図７】
2005190333.tif 000009
【図８】
2005190333.tif 000010